(57)【特許請求の範囲】
【請求項１】
適宜な厚みの板材からなり、少なくとも下面および前端面が化粧仕上げされており、その下面の所定位置に形成された凹部にほぼ埋め込まれるように照明器具が一体的に取り付けられ、その照明器具の発光面が下方に向けて露出しており、前記照明器具に一端がつながっている給電線が前記板材中に設けられた配線穴に通され、その給電線の他端側が前記板材の上面後背部または側端面から外に引き出されている照明器具付き板材において、前記板材の上面を天井面より下方に凸になった梁の下面にあてがって前記板材の少なくとも前面側において天井面との間に空間ができる配置関係にし、前記梁の側面と前記板材の上面とに金具を取り付けて前記板材を固定し、前記板材から外部に引き出される前記給電線を壁面に沿って配線することを特徴とする照明器具付き板材の取り付け構造。
【発明の詳細な説明】
【０００１】
【産業上の利用分野】
この発明は、マンションのようなコンクリート集合住宅等におけるインテリア装備に適した照明器具付き棚板とその取り付け構造に関する。
【０００２】
【従来の技術】
経済効率を優先して大量供給されるコンクリート集合住宅では、基本設計だけでなく間取りやインテリアも規格化され、個々の住人の好みを反映しにくい面がある。室内はコンクリート構造壁や梁による下り天井に囲まれているため、あらかじめ予定されている場所以外に照明器具を取り付けたり、飾り棚を取り付けたりすることが、木造住宅のように簡単には行えない。
【０００３】
【発明が解決しようとする課題】
コンクリート集合住宅で利用されることを主に意図したインテリア装備としては、床と天井の間に垂直に設置する突っ張り棒を支柱とする照明器具や、平行な壁間に設置する突っ張り棒型の棚や、部屋の角の鴨居上に設置する三角型の棚などがある。これらは簡単に設置できるが、取り付け部分の機械構造が露出していて、装飾性はきわめて低いものである。
【０００４】
この発明は前述した従来の問題点に鑑みなされたもので、その目的は、コンクリート集合住宅の梁を利用して簡単に取り付けられる装飾性に富んだ照明器具付き棚板およびその取り付け構造を提供するものである。
【０００５】
【課題を解決するための手段】
この発明は、適宜な厚みの板材からなり、少なくとも下面および前端面が化粧仕上げされており、その下面の所定位置に形成された凹部にほぼ埋め込まれるように照明器具が一体的に取り付けられ、その照明器具の発光面が下方に向けて露出しており、前記照明器具に一端がつながっている給電線が前記板材中に設けられた配線穴に通され、その給電線の他端側が前記板材の上面後背部または側端面から外に引き出されている照明器具付き板材において、前記板材の上面を天井面より下方に凸になった梁の下面にあてがって前記板材の少なくとも前面側において天井面との間に空間ができる配置関係にし、前記梁の側面と前記板材の上面とに金具を取り付けて前記板材を固定し、前記板材から外部に引き出される前記給電線を壁面に沿って配線したものである。
【０００７】
【作用】
梁の下面に前記棚板をあてがって取り付けると、その設置位置が高いので、棚板の主に下面側を見ることになる。この下面と前端面は化粧仕上げされているとともに、下面に照明器具が埋め込まれているので、飾り棚および局部照明としてきわめて高い装飾性を発揮する。また、前記梁の側面と前記棚板の上面とが交わる角部分に金具を取り付けて前記棚板を固定するので、金具による取り付け部分は通常見えず、この面でも高い装飾性をもたせることができる。さらに、照明器具につながる給電線は棚板内の配線穴を通り、正面後背部または側端面から外に引き出されているので、これを壁面に沿って配線することで、配線をほとんど目立たないようにでき、この面でも高い装飾性をもたせることができる。
【０００８】
【実施例】
この発明の第１実施例による照明器具付き棚板１の室内設置状態を図１〜図７に示している。まず図１、図２、図４に示すように、この実施例の棚板１は、３面の壁Ｗ１、Ｗ２、Ｗ３と天井Ｃ、それに下り天井を形成している梁２とで囲まれた部分に取り付けられている。棚板１は適宜厚みの化粧合板からなり、その前端面は大きなＲ曲線に形成され、後端面は直線に形成されている。棚板１の下面は仕上板１ａで形成され、上面は仕上材１ｂで形成され、前端面は仕上材１ｃで形成されている。棚板１の長さは平行な２面の壁Ｗ１とＷ２の間隔に等しい。
【０００９】
棚板１の下面には円形の凹部３が３箇所に形成されており、各凹部３には照明器具４が埋め込まれるように一体的に取り付けられている。照明器具４の下面の発光面部分が棚板１の下面より少しだけ突出している。棚板１中には各凹部３につながる配線穴５が形成されており、照明器具４の給電線６が配線穴５に通されて、棚板１の後端面中央から外部に引き出されている。
【００１０】
図４に示すように、棚板１は、その後端面を壁Ｗ３にあてがい、その上面を梁２の下面にあてがった状態でアングル金具７により固定されている。図７に示すように、棚板１の両側端面においては、下面仕上材１ａが上面仕上材１ｂおよび芯材より少し長く形成されており、下面仕上材１ａの端面を壁Ｗ１（Ｗ２）にあてがうと、上面仕上材１ｂおよび芯材の端面と壁Ｗ１との間に若干の隙間Ｓ１（具体的には５ｍｍ程度）が形成される。この隙間に隠れるようにアングル金具８の一片が壁Ｗ１にビスで固定され、そのアングル金具の残る一片が棚板１の上面にビスで固定される。
【００１１】
アングル金具７は長く、棚板１の上面と梁２の側面の角部分に沿って配置され、図６に示すように、その一片が梁２の側面にビスで固定され、残る一片が棚板１の上面にビスで固定される。また図５に示すように、棚板１の後端面においては、下面仕上材１ａが上面仕上材１ｂおよび芯材より幅広に形成されており、下面仕上材１ａの後端面を壁Ｗ３にあてがうと、上面仕上材１ｂおよび芯材の端面と壁Ｗ３の間に５ｍｍ程度の隙間Ｓ２が形成される。この後端面の隙間Ｓ２が外部に引き出した給電線６の配線スペースとなり、この部分を通して配線し、例えば壁Ｗ１と壁Ｗ３の角部に給電線６を沿わせて電源コンセントまで導く。
【００１２】
図８にはこの発明の第２実施例を示している。この例では、下り天井を形成する梁２が壁Ｗ１と天井Ｃの角部に沿って配設されており、照明器具付き棚板１は壁Ｗ１とＷ２との間に梁２の長手方向と直交して壁Ｗ３に沿って配設されている。もちろん、棚板１の上面が梁２の下面にあてがわれ、図示省略しているが、棚板１の上面と梁２の側面の角部をアングル金具で固定する。棚板１の両側端面は第１実施例と同様に壁に固定する。棚板１と天井Ｃの間に形成される空間のできかたが第１実施例と異なる。
【００１３】
図９はこの発明の第３実施例を示している。この例では、天井Ｃの中央に壁Ｗ１、Ｗ２と平行な梁２が配設されており、照明器具付き棚板１は壁Ｗ１とＷ２との間に梁２の長手方向と直交して壁Ｗ３に沿って配設されている。もちろん、棚板１の上面中央が梁２の下面にあてがわれ、図示省略しているが、棚板１の上面と梁２の両側面との２箇所の角部をアングル金具で固定する。棚板１の両側端面は第１実施例と同様に壁に固定する。
【００１４】
図１０はこの発明の第４実施例を示している。この例では、梁２の下面に吊り戸棚９が固定設置され、照明器具付き棚板１は、その上面が梁２の下面に当接し、その後端面が吊り戸棚９の背面板に当接し、その左側端面が壁Ｗ１に当接して取り付けられている。棚板１の上面と梁２の側面の角部が第１実施例と同様なアングル金具で固定される。棚板１の左側端面は第１実施例と同様に壁に固定されるが、棚板１の右側端面は壁には接していない。この場合は、棚板１の右側端面にも化粧仕上を施す。
【００１５】
尚、上記実施例では照明器具につながる給電線を棚板の後背部から引き出しているが、棚板の側端面から引き出すようにしいも良い。
【００１６】
【発明の効果】
この発明によれば、梁による下り天井の下面に前記棚板をあてがって取り付けると、その設置位置が高いので、棚板の主に下面側を見ることになる。この下面と前端面は化粧仕上げされているとともに、下面に照明器具が埋め込まれているので、飾り棚および局部照明としてきわめて高い装飾性を発揮する。また、前記梁の側面と前記棚板の上面とが交わる角部分にアングル金具等の金具を取り付けて前記棚板を固定するので、金具による取り付け部分は通常見えず、この面でも高い装飾性をもたせることができる。さらに、照明器具につながる給電線は棚板内の配線穴を通り、正面後背部または側端面から外に引き出されているので、これを壁面に沿って配線することで、配線をほとんど目立たないようにでき、この面でも高い装飾性をもたせることができる。
【図面の簡単な説明】
【図１】この発明の第１実施例の室内パースである。
【図２】同上第１実施例の平面図である。
【図３】同上第１実施例における照明器具付き棚板の要部断面図である。
【図４】同上第１実施例の棚板取り付け状態の縦断面図である。
【図５】図４におけるＡ部の詳細図である。
【図６】図４におけるＢ部の詳細図である。
【図７】図２におけるＣ部の詳細断面図である。
【図８】この発明の第２実施例の室内パースである。
【図９】この発明の第３実施例の室内パースである。
【図１０】この発明の第４実施例の室内パースである。
【符号の説明】
Ｗ１、Ｗ２、Ｗ３  壁
Ｃ  天井
１  棚板
２  梁
３  凹部
４  照明器具
５  配線穴
６  給電線
７  アングル金具
８  アングル金具
Ｓ１、Ｓ２  隙間
【図１】
0003594663.tif 000002
【図２】
0003594663.tif 000003
【図３】
0003594663.tif 000004
【図４】
0003594663.tif 000005
【図５】
0003594663.tif 000006
【図６】
0003594663.tif 000007
【図７】
0003594663.tif 000008
【図８】
0003594663.tif 000009
【図９】
0003594663.tif 000010
【図１０】
0003594663.tif 000011